【手続補正書】
【提出日】平成26年4月8日(2014.4.8)
【手続補正１】
【補正対象書類名】特許請求の範囲
【補正対象項目名】全文
【補正方法】変更
【補正の内容】
【特許請求の範囲】
【請求項１】
活性光線の照射により硬化するインクを吐出する複数のノズルを有するインクジェットヘッドと、
前記インクジェットヘッドから吐出したインク滴を付着させる記録媒体を搬送する記録媒体搬送手段と、
前記インクジェットヘッドを前記記録媒体に対して相対移動させる走査手段と、
前記走査手段によって前記インクジェットヘッドとともに移動し、前記記録媒体の上に付着したインク滴を不完全に硬化させる程度の活性光線を照射する仮硬化手段と、
前記仮硬化手段とは別に設けられ、前記仮硬化手段によって露光されたインク滴に対して追加露光を行い、前記インク滴を本硬化させる活性光線を照射する本硬化手段と、
を備え、
前記インクは、（成分Ａ）ラジカル重合性化合物、（成分Ｂ）ラジカル重合開始剤、及び、（成分Ｃ）着色剤を含有し、
成分Ａとして、（成分Ａ−１）単官能ラジカル重合性化合物と（成分Ａ−２）多官能ラジカル重合性化合物とを含有し、
成分Ａ−１の含有量が成分Ａの総重量に対し５０重量パーセント以上９０重量パーセント以下であり、前記（成分Ｂ）ラジカル重合開始剤量がインク組成物全体の１重量パーセント以上２０重量パーセント以下であるとともに、
前記仮硬化手段による仮硬化の際の照射エネルギーは、１平方センチメートルあたり２ミリジュール以上２０ミリジュール以下であり、
前記本硬化手段による本硬化の際の照射エネルギーは、１平方センチメートルあたり２００ミリジュール以上５６０ミリジュール以下であるインクジェット記録装置。
【請求項２】
活性光線の照射により硬化するインクを吐出する複数のノズルを有するインクジェットヘッドと、
前記インクジェットヘッドから吐出したインク滴を付着させる記録媒体を搬送する記録媒体搬送手段と、
前記インクジェットヘッドを前記記録媒体に対して相対移動させる走査手段と、
前記走査手段によって前記インクジェットヘッドとともに移動し、前記記録媒体の上に付着したインク滴を不完全に硬化させる程度の活性光線を照射する仮硬化手段と、
前記仮硬化手段とは別に設けられ、前記仮硬化手段によって露光されたインク滴に対して追加露光を行い、前記インク滴を本硬化させる活性光線を照射する本硬化手段と、
を備え、
前記インクは、（成分Ａ）ラジカル重合性化合物、（成分Ｂ）ラジカル重合開始剤、及び、（成分Ｃ）着色剤を含有し、
成分Ａとして、（成分Ａ−１）単官能ラジカル重合性化合物と（成分Ａ−２）多官能ラジカル重合性化合物とを含有し、
成分Ａ−１の単官能ラジカル重合性化合物がＮ-ビニル化合物であるとともに、
成分Ａ−１の含有量が成分Ａの総重量に対し５０重量パーセント以上９０重量パーセント以下であり、アクリレートオリゴマーを含有するとともに、アシルフォスフィン系からなるラジカル重合開始剤量が、インク組成物全体の１重量パーセント以上２０重量パーセント以下含有するとともに、
前記仮硬化手段による仮硬化の際の照射エネルギーは、１平方センチメートルあたり２ミリジュール以上２０ミリジュール以下であり、
前記本硬化手段による本硬化の際の照射エネルギーは、１平方センチメートルあたり２００ミリジュール以上５６０ミリジュール以下であるインクジェット記録装置。
【請求項３】
活性光線の照射により硬化するインクを吐出する複数のノズルを有するインクジェットヘッドと、
前記インクジェットヘッドから吐出したインク滴を付着させる記録媒体を搬送する記録媒体搬送手段と、
前記インクジェットヘッドを前記記録媒体に対して相対移動させる走査手段と、
前記走査手段によって前記インクジェットヘッドとともに移動し、前記記録媒体の上に付着したインク滴を不完全に硬化させる程度の活性光線を照射する仮硬化手段と、
前記仮硬化手段とは別に設けられ、前記仮硬化手段によって露光されたインク滴に対して追加露光を行い、前記インク滴を本硬化させる活性光線を照射する本硬化手段と、
を備え、
前記インクは、（成分Ａ）ラジカル重合性化合物、（成分Ｂ）ラジカル重合開始剤、及び、（成分Ｃ）着色剤を含有し、
成分Ａとして、（成分Ａ−１）単官能ラジカル重合性化合物と（成分Ａ−２）多官能ラジカル重合性化合物とを含有し、
成分Ａ−１として、（成分Ａ−１−１）Ｎ−ビニル化合物と（成分Ａ−１−２）次式（Ｉ）で表される化合物とを含有し、
成分Ａ−１の含有量が成分Ａの総重量に対し５０重量パーセント以上９０重量パーセント以下であり、
成分Ａ−１−１の含有量が成分Ａ−１の総重量に対し１重量パーセント以上４０重量パーセント以下であり、
成分Ａ−１−２の含有量が成分Ａ−１の総重量に対し５重量パーセント以上９０重量パーセント以下であり、
前記仮硬化手段による仮硬化の際の照射エネルギーは、１平方センチメートルあたり２ミリジュール以上２０ミリジュール以下であり、
前記本硬化手段による本硬化の際の照射エネルギーは、１平方センチメートルあたり２００ミリジュール以上５６０ミリジュール以下であるインクジェット記録装置。
【化１】
2013078862.tif 000001
（式（Ｉ）中、Ｒ１、Ｒ２及びＲ３はそれぞれ独立に、水素原子、メチル基、又は、エチル基を表し、Ｘ１は単結合、又は、二価の連結基を表す。）
【請求項４】
前記インクは、成分Ａ−２は、次式（ＩＩ）で表される化合物を少なくとも２種含有し、
成分Ａ−２の含有量が成分Ａの総重量に対し０．１重量パーセント以上２５重量パーセント以下である請求項３に記載のインクジェット記録装置。
【化２】
2013078862.tif 000002
（式（ＩＩ）中、Ｒ１１はそれぞれ独立に水素原子、又は置換されていてもよい炭素数１〜６のアルキル基を表し、Ｒ１２は水素原子、又は置換されていてもよい炭素数１から６のアルキル基を表し、Ｒ１３はそれぞれ独立に水素原子、又はメチル基を表し、Ｘ２は単結合、又は二価の連結基を表し、ｐ、ｑ及びｒはそれぞれ独立に０から５の整数を表す。）
【請求項５】
前記仮硬化手段は、発光ダイオードを具備する請求項１から４のいずれか１項に記載のインクジェット記録装置。
【請求項６】
前記仮硬化手段の発光波長のピークは、３８０ナノメートル以上３９０ナノメートル以下である請求項１から５のいずれか１項に記載のインクジェット記録装置。
【請求項７】
前記インクは、成分Ａ−１−１がＮ−ビニルカプロラクタムである請求項３から６のいずれか１項に記載のインクジェット記録装置。
【請求項８】
前記インクは、成分Ａ−１として、更に（成分Ａ−１−３）芳香族炭化水素環を有する（メタ）アクリレート化合物を、成分Ａ−１の総重量に対し５重量パーセント以上４０重量パーセント以下含有する請求項１から７のいずれか１項に記載のインクジェット記録装置。
【請求項９】
前記インクは、成分Ｂとして、（成分Ｂ−１）モノアシルホスフィンオキサイド化合物、（成分Ｂ−２）ビスアシルホスフィンオキサイド化合物、及び（成分Ｂ−３）チオキサントン化合物の少なくともいずれか１つを含有する請求項１から８のいずれか１項に記載のインクジェット記録装置。
【請求項１０】
前記インクは、前記式（ＩＩ）で表される化合物の少なくとも１つがトリメチロールプロパントリアクリレートであり、その含有量が成分Ａの総重量に対し０．５重量パーセント以上８重量パーセント以下である請求項９に記載のインクジェット記録装置。
【請求項１１】
前記インクは、成分Ｂとして、成分Ｂ−１を含有し、その含有量がインク組成物全重量に対し３重量パーセント以下である請求項３から１０のいずれか１項に記載のインクジェット記録装置。
【請求項１２】
成分Ａ−２として、式（ＩＩ’）で表される化合物を少なくとも１種含有する請求項１から１１のいずれか１項に記載のインクジェット記録装置。
【化３】
2013078862.tif 000003
（式（ＩＩ’）中、Ｒ１１は水素原子、又は置換されていてもよい炭素数１から６のアルキル基を表し、Ｒ１２は水素原子、又は置換されていてもよい炭素数１から６のアルキル基を表し、Ｒ１３はそれぞれ独立に水素原子、又はメチル基を表し、Ｘ２は単結合、又は二価の連結基を表し、ｐ、ｑ及びｒはそれぞれ独立に０〜５の整数を表し、ｐ＋ｑ＋ｒ≧１の関係を満たす。）
【請求項１３】
活性光線の照射により硬化するインクを吐出する複数のノズルを有するインクジェットヘッドを記録媒体に対して相対移動させながら、インクジェットヘッドから前記インクを吐出させるインク吐出工程と、
前記記録媒体を前記インクジェットヘッドと前記記録媒体との相対移動方向と直交する方向へ搬送する記録媒体搬送工程と、
前記インクジェットヘッドとともに前記記録媒体に対して相対移動し、前記記録媒体の上に付着したインク滴を不完全に硬化させる程度の活性光線を照射する仮硬化工程と、
前記仮硬化工程によって露光されたインク滴に対して追加露光を行い、前記インク滴を本硬化させる活性光線を照射する本硬化工程と、
を含み、
前記インクは、（成分Ａ）ラジカル重合性化合物、（成分Ｂ）ラジカル重合開始剤、及び、（成分Ｃ）着色剤を含有し、
成分Ａとして、（成分Ａ−１）単官能ラジカル重合性化合物と（成分Ａ−２）多官能ラジカル重合性化合物とを含有し、
成分Ａ−１の含有量が成分Ａの総重量に対し５０重量パーセント以上９０重量パーセント以下であり、前記（成分Ｂ）ラジカル重合開始剤量がインク組成物全体の１重量パーセント以上２０重量パーセント以下であるとともに、
前記仮硬化工程の仮硬化の際の照射エネルギーは、１平方センチメートルあたり２ミリジュール以上２０ミリジュール以下であり、
前記本硬化工程の本硬化の際の照射エネルギーは、１平方センチメートルあたり２００ミリジュール以上５６０ミリジュール以下である画像記録方法。
【請求項１４】
活性光線の照射により硬化するインクを吐出する複数のノズルを有するインクジェットヘッドを記録媒体に対して相対移動させながら、インクジェットヘッドから前記インクを吐出させるインク吐出工程と、
前記記録媒体を前記インクジェットヘッドと前記記録媒体との相対移動方向と直交する方向へ搬送する記録媒体搬送工程と、
前記インクジェットヘッドとともに前記記録媒体に対して相対移動し、前記記録媒体の上に付着したインク滴を不完全に硬化させる程度の活性光線を照射する仮硬化工程と、
前記仮硬化工程によって露光されたインク滴に対して追加露光を行い、前記インク滴を本硬化させる活性光線を照射する本硬化工程と、
を含み、
前記インクは、（成分Ａ）ラジカル重合性化合物、（成分Ｂ）ラジカル重合開始剤、及び、（成分Ｃ）着色剤を含有し、
成分Ａとして、（成分Ａ−１）単官能ラジカル重合性化合物と（成分Ａ−２）多官能ラジカル重合性化合物とを含有し、
成分Ａ−１の単官能ラジカル重合性化合物がＮ-ビニル化合物であるとともに、
成分Ａ−１の含有量が成分Ａの総重量に対し５０重量パーセント以上９０重量パーセント以下であり、アクリレートオリゴマーを含有するとともに、アシルフォスフィン系からなるラジカル重合開始剤量が、インク組成物全体の１重量パーセント以上２０重量パーセント以下含有するとともに、
前記仮硬化工程の仮硬化の際の照射エネルギーは、１平方センチメートルあたり２ミリジュール以上２０ミリジュール以下であり、
前記本硬化工程の本硬化の際の照射エネルギーは、１平方センチメートルあたり２００ミリジュール以上５６０ミリジュール以下である画像記録方法。
【請求項１５】
活性光線の照射により硬化するインクを吐出する複数のノズルを有するインクジェットヘッドを記録媒体に対して相対移動させながら、インクジェットヘッドから前記インクを吐出させるインク吐出工程と、
前記記録媒体を前記インクジェットヘッドと前記記録媒体との相対移動方向と直交する方向へ搬送する記録媒体搬送工程と、
前記インクジェットヘッドとともに前記記録媒体に対して相対移動し、前記記録媒体の上に付着したインク滴を不完全に硬化させる程度の活性光線を照射する仮硬化工程と、
前記仮硬化工程によって露光されたインク滴に対して追加露光を行い、前記インク滴を本硬化させる活性光線を照射する本硬化工程と、
を含み、
前記インクは、（成分Ａ）ラジカル重合性化合物、（成分Ｂ）ラジカル重合開始剤、及び、（成分Ｃ）着色剤を含有し、
成分Ａとして、（成分Ａ−１）単官能ラジカル重合性化合物と（成分Ａ−２）多官能ラジカル重合性化合物とを含有し、
成分Ａ−１として、（成分Ａ−１−１）Ｎ−ビニル化合物と（成分Ａ−１−２）式（Ｉ）で表される化合物とを含有し、
成分Ａ−１の含有量が成分Ａの総重量に対し５０重量パーセント以上９０重量パーセント以下であり、
成分Ａ−１−１の含有量が成分Ａ−１の総重量に対し１重量パーセント以上４０重量パーセント以下であり、
成分Ａ−１−２の含有量が成分Ａ−１の総重量に対し５重量パーセント以上９０重量パーセント以下であり、
前記仮硬化工程の照射エネルギーは、１平方センチメートルあたり２ミリジュール以上２０ミリジュール以下であり、
前記本硬化工程の照射エネルギーは、１平方センチメートルあたり２００ミリジュール以上５６０ミリジュール以下である画像記録方法。
【化１】
2013078862.tif 000004
（式（Ｉ）中、Ｒ１、Ｒ２及びＲ３はそれぞれ独立に、水素原子、メチル基、又は、エチル基を表し、Ｘ１は単結合、又は、二価の連結基を表す。）
【手続補正２】
【補正対象書類名】明細書
【補正対象項目名】００１９
【補正方法】変更
【補正の内容】
【００１９】
上記目的を達成するために、本発明に係るインクジェット記録装置は、活性光線の照射により硬化するインクを吐出する複数のノズルを有するインクジェットヘッドと、前記インクジェットヘッドから吐出したインク滴を付着させる記録媒体を搬送する記録媒体搬送手段と、前記インクジェットヘッドを前記記録媒体に対して相対移動させる走査手段と、前記走査手段によって前記インクジェットヘッドとともに移動し、前記記録媒体の上に付着したインク滴を不完全に硬化させる程度の活性光線を照射する仮硬化手段と、前記仮硬化手段とは別に設けられ、前記仮硬化手段によって露光されたインク滴に対して追加露光を行い、前記インク滴を本硬化させる活性光線を照射する本硬化手段と、を備え、前記インクは、（成分Ａ）ラジカル重合性化合物、（成分Ｂ）ラジカル重合開始剤、及び、（成分Ｃ）着色剤を含有し、成分Ａとして、（成分Ａ−１）単官能ラジカル重合性化合物と（成分Ａ−２）多官能ラジカル重合性化合物とを含有し、成分Ａ−１の含有量が成分Ａの総重量に対し５０重量パーセント以上９０重量パーセント以下であり、前記（成分Ｂ）ラジカル重合開始剤量がインク組成物全体の１重量パーセント以上２０重量パーセント以下であるとともに、前記仮硬化手段による仮硬化の際の照射エネルギーは、１平方センチメートルあたり２ミリジュール以上２０ミリジュール以下であり、前記本硬化手段による本硬化の際の照射エネルギーは、１平方センチメートルあたり２００ミリジュール以上５６０ミリジュール以下である。
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００４１
【補正方法】変更
【補正の内容】
【００４１】
インクジェットヘッド２４には、ホワイト（白）インク（Ｗ）、イエロー（Ｙ）、マゼンタ（Ｍ）、シアン（Ｃ）、黒（Ｋ）、ライトシアン（Ｌｃ）、ライトマゼンタ（Ｌｍ）、クリア（透明）インク（ＣＬ）の各色のインクごとに、それぞれ色のインクを吐出するためのノズル列６１Ｗ、６１Ｍ、６１Ｌｍ、６１Ｃ、６１Ｌｃ、６１Ｙ、６１Ｋ、６１ＣＬが設けられている。図３ではノズル列を点線により図示し、ノズルの個別の図示は省略されている。また、以下の説明では、ノズル列６１Ｗ、６１Ｍ、６１Ｌｍ、６１Ｃ、６１Ｌｃ、６１Ｙ、６１Ｋ、６１ＣＬを総称して符号６１を付してノズル列を表すことがある。
【手続補正８】
【補正対象書類名】明細書
【補正対象項目名】００４６
【補正方法】変更
【補正の内容】
【００４６】
〔インクジェットヘッドの構造〕
図４（ａ）は、インクジェットヘッド２４のノズル配置を示す平面透視図であり、一色分のノズル列６１が一つのヘッドモジュール２４を構成する形態として図示されている。同図に示すように、一色分のノズル列６１は、副走査方向に沿って一列にノズル７０が配置されている。各ノズル７０は吐出させるインクが収容される圧力室７２（破線により図示）と連通している。なお、図４（ｂ）に示すように、ノズル７０を二列の千鳥配置させる態様も可能である。
【手続補正９】
【補正対象書類名】明細書
【補正対象項目名】００５０
【補正方法】変更
【補正の内容】
【００５０】
圧力室７２の天井面を構成する振動板７８は、圧力室７２の外側面の圧力室７２に対応する位置に圧電素子８０が設けられている。圧電素子８０は、上部電極８２と下部電極８４との間に圧電体８６がはさまれた構造を有しており、上部電極８２と下部電極８４との間に駆動電圧が供給されるとひずみ変形が生じ、振動板７８を変形させる。
【手続補正１０】
【補正対象書類名】明細書
【補正対象項目名】００５７
【補正方法】変更
【補正の内容】
【００５７】
通常の印字時は、加減圧用ポンプ９７がサブタンク９２内のインクを吸引する方向に動作し、サブタンク９２の内部圧力及びインクジェットヘッド２４の内部圧力が負圧に維持される。一方、インクジェットヘッド２４のメンテナンス時は、加減圧用ポンプ９７がサブタンク９２内のインクを加圧する方向に動作し、サブタンク９２の内部及びインクジェットヘッド２４の内部が強制的に加圧され、インクジェットヘッド２４内のインクがノズルを介して排出される。インクジェットヘッド２４から強制的に排出されたインクは、上述したキャップ（図示せず）のインク受けに収容される。
【手続補正１１】
【補正対象書類名】明細書
【補正対象項目名】００６８
【補正方法】変更
【補正の内容】
【００６８】
また、インクジェット記録装置１０には、各種情報を格納しておく情報記憶部１２４と、印刷用の画像データを取り込むための画像入力インターフェース１２６が設けられている。画像入力インターフェース１２６には、シリアルインターフェースを適用してもよいし、パラレルインターフェースを適用してもよい。この部分には、通信を高速化するためのバッファメモリ（不図示）を搭載してもよい。
【手続補正１２】
【補正対象書類名】明細書
【補正対象項目名】００８４
【補正方法】変更
【補正の内容】
【００８４】
〔シングリング走査によるスワス幅について〕
ワイドフォーマット機の作画モードでは、解像度設定毎に、それぞれシングリング（インターレース）する作画条件が決定されている。具体的には、インクジェットヘッドの吐出ノズル列の幅Ｌｗ（ノズル列の長さ）をパス数（スキャン繰り返し回数）だけ分割してシングリング作画するので、インクジェットヘッドのノズル列幅、並びに、主走査方向及び副走査方向のパス数（インターレースする分割数）によってスワス幅が異なる。なお、マルチパス方式によるシングリング作画の詳細については、例えば、特開２００４−３０６６１７号公報に説明されている。
【手続補正１３】
【補正対象書類名】明細書
【補正対象項目名】０１１４
【補正方法】変更
【補正の内容】
【０１１４】
＜本硬化光源の構成例＞
図１１（ｂ）は、本硬化光源３４Ａ、３４Ｂの構成例を示す平面図であり、本硬化光源３４Ａ、３４Ｂの紫外線放出面が図示されている。同図に示す本硬化光源３４Ａ、３４Ｂは１２個のＵＶ‐ＬＥＤ素子３５を具備し、主走査方向について６個のＵＶ‐ＬＥＤ素子３５が等間隔に配置され、この主走査方向に沿うＬＥＤ素子列が副走査方向につい二列の千鳥状に配置されている。
【手続補正１４】
【補正対象書類名】明細書
【補正対象項目名】０３６３
【補正方法】変更
【補正の内容】
【０３６３】
（第１態様）：活性光線の照射により硬化するインクを吐出する複数のノズルを有するインクジェットヘッドと、前記インクジェットヘッドから吐出したインク滴を付着させる記録媒体を搬送する記録媒体搬送手段と、前記インクジェットヘッドを前記記録媒体に対して相対移動させる走査手段と、前記走査手段によって前記インクジェットヘッドとともに移動し、前記記録媒体の上に付着したインク滴を不完全に硬化させる程度の活性光線を照射する仮硬化手段と、前記仮硬化手段とは別に設けられ、前記仮硬化手段によって露光されたインク滴に対して追加露光を行い、前記インク滴を本硬化させる活性光線を照射する本硬化手段と、を備え、前記インクは、（成分Ａ）ラジカル重合性化合物、（成分Ｂ）ラジカル重合開始剤、及び、（成分Ｃ）着色剤を含有し、成分Ａとして、（成分Ａ−１）単官能ラジカル重合性化合物と（成分Ａ−２）多官能ラジカル重合性化合物とを含有し、成分Ａ−１の含有量が成分Ａの総重量に対し５０重量パーセント以上９０重量パーセント以下であり、前記（成分Ｂ）ラジカル重合開始剤量がインク組成物全体の１重量パーセント以上２０重量パーセント以下であるとともに、前記仮硬化手段による仮硬化の際の照射エネルギーは、１平方センチメートルあたり２ミリジュール以上２０ミリジュール以下であり、前記本硬化手段による本硬化の際の照射エネルギーは、１平方センチメートルあたり２００ミリジュール以上５６０ミリジュール以下であるインクジェット記録装置。
【手続補正１５】
【補正対象書類名】明細書
【補正対象項目名】０３６６
【補正方法】変更
【補正の内容】
【０３６６】
（第２態様）：活性光線の照射により硬化するインクを吐出する複数のノズルを有するインクジェットヘッドと、前記インクジェットヘッドから吐出したインク滴を付着させる記録媒体を搬送する記録媒体搬送手段と、前記インクジェットヘッドを前記記録媒体に対して相対移動させる走査手段と、前記走査手段によって前記インクジェットヘッドとともに移動し、前記記録媒体の上に付着したインク滴を不完全に硬化させる程度の活性光線を照射する仮硬化手段と、前記仮硬化手段とは別に設けられ、前記仮硬化手段によって露光されたインク滴に対して追加露光を行い、前記インク滴を本硬化させる活性光線を照射する本硬化手段と、を備え、前記インクは、（成分Ａ）ラジカル重合性化合物、（成分Ｂ）ラジカル重合開始剤、及び、（成分Ｃ）着色剤を含有し、成分Ａとして、（成分Ａ−１）単官能ラジカル重合性化合物と（成分Ａ−２）多官能ラジカル重合性化合物とを含有し、成分Ａ−１の単官能ラジカル重合性化合物がＮ-ビニル化合物であるとともに、成分Ａ−１の含有量が成分Ａの総重量に対し５０重量パーセント以上９０重量パーセント以下であり、アクリレートオリゴマーを含有するとともに、アシルフォスフィン系からなるラジカル重合開始剤量が、インク組成物全体の１重量パーセント以上２０重量パーセント以下含有するとともに、前記仮硬化手段による仮硬化の際の照射エネルギーは、１平方センチメートルあたり２ミリジュール以上２０ミリジュール以下であり、前記本硬化手段による本硬化の際の照射エネルギーは、１平方センチメートルあたり２００ミリジュール以上５６０ミリジュール以下であるインクジェット記録装置。
【手続補正１６】
【補正対象書類名】明細書
【補正対象項目名】０３６７
【補正方法】変更
【補正の内容】
【０３６７】
（第３態様）：活性光線の照射により硬化するインクを吐出する複数のノズルを有するインクジェットヘッドと、前記インクジェットヘッドから吐出したインク滴を付着させる記録媒体を搬送する記録媒体搬送手段と、前記インクジェットヘッドを前記記録媒体に対して相対移動させる走査手段と、前記走査手段によって前記インクジェットヘッドとともに移動し、前記記録媒体の上に付着したインク滴を不完全に硬化させる程度の活性光線を照射する仮硬化手段と、前記仮硬化手段とは別に設けられ、前記仮硬化手段によって露光されたインク滴に対して追加露光を行い、前記インク滴を本硬化させる活性光線を照射する本硬化手段と、を備え、前記インクは、（成分Ａ）ラジカル重合性化合物、（成分Ｂ）ラジカル重合開始剤、及び、（成分Ｃ）着色剤を含有し、成分Ａとして、（成分Ａ−１）単官能ラジカル重合性化合物と（成分Ａ−２）多官能ラジカル重合性化合物とを含有し、成分Ａ−１として、（成分Ａ−１−１）Ｎ−ビニル化合物と（成分Ａ−１−２）次式（Ｉ）で表される化合物とを含有し、成分Ａ−１の含有量が成分Ａの総重量に対し５０重量パーセント以上９０重量パーセント以下であり、成分Ａ−１−１の含有量が成分Ａ−１の総重量に対し１重量パーセント以上４０重量パーセント以下であり、成分Ａ−１−２の含有量が成分Ａ−１の総重量に対し５重量パーセント以上９０重量パーセント以下であり、前記仮硬化手段による仮硬化の際の照射エネルギーは、１平方センチメートルあたり２ミリジュール以上２０ミリジュール以下であり、前記本硬化手段による本硬化の際の照射エネルギーは、１平方センチメートルあたり２００ミリジュール以上５６０ミリジュール以下であるインクジェット記録装置。
【手続補正１７】
【補正対象書類名】明細書
【補正対象項目名】０３７８
【補正方法】変更
【補正の内容】
【０３７８】
（第９態様）：前記インクは、成分Ｂとして、（成分Ｂ−１）モノアシルホスフィンオキサイド化合物、（成分Ｂ−２）ビスアシルホスフィンオキサイド化合物、及び（成分Ｂ−３）チオキサントン化合物の少なくともいずれか１つを含有するインクジェット記録装置。
【手続補正１８】
【補正対象書類名】明細書
【補正対象項目名】０３８３
【補正方法】変更
【補正の内容】
【０３８３】
（式（ＩＩ’）中、Ｒ１１は水素原子、又は置換されていてもよい炭素数１から６のアルキル基を表し、Ｒ１２は水素原子、又は置換されていてもよい炭素数１から６のアルキル基を表し、Ｒ１３はそれぞれ独立に水素原子、又はメチル基を表し、Ｘ２は単結合、又は二価の連結基を表し、ｐ、ｑ及びｒはそれぞれ独立に０〜５の整数を表し、ｐ＋ｑ＋ｒ≧１の関係を満たす。）
（第１３態様）：活性光線の照射により硬化するインクを吐出する複数のノズルを有するインクジェットヘッドを記録媒体に対して相対移動させながら、インクジェットヘッドから前記インクを吐出させるインク吐出工程と、前記記録媒体を前記インクジェットヘッドと前記記録媒体との相対移動方向と直交する方向へ搬送する記録媒体搬送工程と、前記インクジェットヘッドとともに前記記録媒体に対して相対移動し、前記記録媒体の上に付着したインク滴を不完全に硬化させる程度の活性光線を照射する仮硬化工程と、前記仮硬化工程によって露光されたインク滴に対して追加露光を行い、前記インク滴を本硬化させる活性光線を照射する本硬化工程と、を含み、前記インクは、（成分Ａ）ラジカル重合性化合物、（成分Ｂ）ラジカル重合開始剤、及び、（成分Ｃ）着色剤を含有し、成分Ａとして、（成分Ａ−１）単官能ラジカル重合性化合物と（成分Ａ−２）多官能ラジカル重合性化合物とを含有し、成分Ａ−１の含有量が成分Ａの総重量に対し５０重量パーセント以上９０重量パーセント以下であり、前記（成分Ｂ）ラジカル重合開始剤量がインク組成物全体の１重量パーセント以上２０重量パーセント以下であるとともに、前記仮硬化工程の仮硬化の際の照射エネルギーは、１平方センチメートルあたり２ミリジュール以上２０ミリジュール以下であり、前記本硬化工程の本硬化の際の照射エネルギーは、１平方センチメートルあたり２００ミリジュール以上５６０ミリジュール以下である画像記録方法。
【手続補正１９】
【補正対象書類名】明細書
【補正対象項目名】０３８４
【補正方法】変更
【補正の内容】
【０３８４】
（第１４態様）：活性光線の照射により硬化するインクを吐出する複数のノズルを有するインクジェットヘッドを記録媒体に対して相対移動させながら、インクジェットヘッドから前記インクを吐出させるインク吐出工程と、前記記録媒体を前記インクジェットヘッドと前記記録媒体との相対移動方向と直交する方向へ搬送する記録媒体搬送工程と、前記インクジェットヘッドとともに前記記録媒体に対して相対移動し、前記記録媒体の上に付着したインク滴を不完全に硬化させる程度の活性光線を照射する仮硬化工程と、前記仮硬化工程によって露光されたインク滴に対して追加露光を行い、前記インク滴を本硬化させる活性光線を照射する本硬化工程と、を含み、前記インクは、（成分Ａ）ラジカル重合性化合物、（成分Ｂ）ラジカル重合開始剤、及び、（成分Ｃ）着色剤を含有し、成分Ａとして、（成分Ａ−１）単官能ラジカル重合性化合物と（成分Ａ−２）多官能ラジカル重合性化合物とを含有し、成分Ａ−１の単官能ラジカル重合性化合物がＮ-ビニル化合物であるとともに、成分Ａ−１の含有量が成分Ａの総重量に対し５０重量パーセント以上９０重量パーセント以下であり、アクリレートオリゴマーを含有するとともに、アシルフォスフィン系からなるラジカル重合開始剤量が、インク組成物全体の１重量パーセント以上２０重量パーセント以下含有するとともに、前記仮硬化工程の仮硬化の際の照射エネルギーは、１平方センチメートルあたり２ミリジュール以上２０ミリジュール以下であり、前記本硬化工程の本硬化の際の照射エネルギーは、１平方センチメートルあたり２００ミリジュール以上５６０ミリジュール以下である画像記録方法。
【手続補正２０】
【補正対象書類名】明細書
【補正対象項目名】０３８５
【補正方法】変更
【補正の内容】
【０３８５】
（第１５態様）：活性光線の照射により硬化するインクを吐出する複数のノズルを有するインクジェットヘッドを記録媒体に対して相対移動させながら、インクジェットヘッドから前記インクを吐出させるインク吐出工程と、前記記録媒体を前記インクジェットヘッドと前記記録媒体との相対移動方向と直交する方向へ搬送する記録媒体搬送工程と、前記インクジェットヘッドとともに前記記録媒体に対して相対移動し、前記記録媒体の上に付着したインク滴を不完全に硬化させる程度の活性光線を照射する仮硬化工程と、前記仮硬化工程によって露光されたインク滴に対して追加露光を行い、前記インク滴を本硬化させる活性光線を照射する本硬化工程と、を含み、前記インクは、（成分Ａ）ラジカル重合性化合物、（成分Ｂ）ラジカル重合開始剤、及び、（成分Ｃ）着色剤を含有し、成分Ａとして、（成分Ａ−１）単官能ラジカル重合性化合物と（成分Ａ−２）多官能ラジカル重合性化合物とを含有し、成分Ａ−１として、（成分Ａ−１−１）Ｎ−ビニル化合物と（成分Ａ−１−２）式（Ｉ）で表される化合物とを含有し、成分Ａ−１の含有量が成分Ａの総重量に対し５０重量パーセント以上９０重量パーセント以下であり、成分Ａ−１−１の含有量が成分Ａ−１の総重量に対し１重量パーセント以上４０重量パーセント以下であり、成分Ａ−１−２の含有量が成分Ａ−１の総重量に対し５重量パーセント以上９０重量パーセント以下であり、前記仮硬化工程の照射エネルギーは、１平方センチメートルあたり２ミリジュール以上２０ミリジュール以下であり、前記本硬化工程の照射エネルギーは、１平方センチメートルあたり２００ミリジュール以上５６０ミリジュール以下である画像記録方法。